【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
表示画面および複数の光源を有する電子装置を動作させる方法であって、
複数の画像フレームを提供する工程であって、各画像フレームが前記表示画面に表示する画像を定義する、工程と、
前記複数の光源に対する照明命令を提供する工程であって、照明命令毎に異なる画像フレームと関連づけられ、各照明命令が前記複数の光源の照明パターンをそれぞれ定義する、工程と、
前記表示画面に前記画像フレームによりそれぞれ定義される前記画像を表示する工程と、
前記表示画面に第１の画像フレームにより定義される第１の画像を表示する間、前記第１の画像フレームと関連づけられた第１の照明命令により定義される第１の照明パターンを前記複数の光源に提供する工程と、
前記表示画面に第２の画像フレームにより定義される第２の画像を表示する間、前記第２の画像フレームと関連づけられた第２の照明命令により定義される第２の照明パターンを前記複数の光源に提供する工程と、
を備えることを特徴とする方法。
【請求項２】
前記複数の画像フレームを提供する工程と前記照明命令を提供する工程とが、前記複数の画像フレームと、関連する前記照明命令とを含むグラフィックデータファイルを提供する工程を有することを特徴とする、請求項１に記載の方法。
【請求項３】
各画像フレームは、前記グラフィックデータファイルの異なる画像データブロックとして提供され、各照明命令は、前記グラフィックデータファイルの照明データブロックとして提供され、照明データブロック毎に異なる画像データブロックと関連づけられることを特徴とする、請求項２に記載の方法。
【請求項４】
前記グラフィックデータファイルを提供する工程は、複数の制御データブロックを提供する工程であって、各制御データブロックは、前記画像データブロックの各ブロックと関連づけられ、前記画像データブロックのそれぞれにより定義される前記画像の表示期間を定義する、工程をさらに含むことを特徴とする、請求項３に記載の方法。
【請求項５】
前記グラフィックデータファイルを提供する工程は、ＧＩＦ規格に従った前記グラフィックデータファイルを提供する工程を含むことを特徴とする、請求項２に記載の方法。
【請求項６】
前記複数の画像フレームを提供する工程と前記複数の照明命令を提供する工程とは、
第１の画像フレームと第１の照明命令とを有する第１のグラフィックデータファイルを提供する工程と、
第２の画像フレームと第２の照明命令とを有する第２のグラフィックデータファイルを提供する工程と
を含むことを特徴とする、請求項１に記載の方法。
【請求項７】
前記表示画面は液晶ディスプレイを含み、前記複数の光源は複数の発光ダイオードを含むことを特徴とする、請求項１に記載の方法。
【請求項８】
前記複数の光源は、キーパッド用のバックライト、キーパッドの外側の周辺光源、および、前記液晶ディスプレイ用のバックライトの少なくともいずれかを含むことを特徴とする、請求項７に記載の方法。
【請求項９】
前記画像は、動画を提供するために順に表示されることを特徴とする、請求項１に記載の方法。
【請求項１０】
前記第１の照明パターンでは、前記第１の画像を表示する間、前記光源の少なくとも１個が点灯し、前記第２の照明パターンでは、前記第２の画像を表示する間、前記光源の前記少なくとも１個が消灯することを特徴とする、請求項１に記載の方法。
【請求項１１】
前記第１の照明パターンでは、前記第１の画像を表示する間、第１のシーケンスに従って、前記光源の少なくとも２個が少なくとも点灯および消灯のいずれかを行い、
前記第２の照明パターンでは、前記第２の画像を表示する間、第２のシーケンスに従って、前記光源の少なくとも２個が少なくとも点灯および消灯のいずれかを行い、
前記第１のシーケンスと前記第２のシーケンスとが異なることを特徴とする、請求項１に記載の方法。
【請求項１２】
前記複数の画像フレームを提供する工程は、無線インターフェースを介して前記複数の画像フレームを受信する工程を含み、
前記照明命令を提供する工程は、前記無線インターフェースを介して前記照明命令を受信する工程を含むことを特徴とする、請求項１に記載の方法。
【請求項１３】
電子装置であって、
表示画面と、
複数の光源と、
各画像フレームが前記表示画面に表示する画像を定義する、複数の画像フレームを提供し、前記複数の光源に対する照明命令を提供するように構成されたメモリであって、前記照明命令毎に異なる画像フレームと関連づけられ、各照明命令が前記複数の光源の照明パターンをそれぞれ定義する、メモリと、
前記表示画面と、前記複数の光源と、前記メモリとに結合されたプロセッサであって、前記像フレームがそれぞれ定義する前記画像を前記表示画面に表示するように構成され、前記表示画面に第１の画像フレームにより定義される第１の画像を表示する間、前記第１の画像フレームと関連づけられた第１の照明命令により定義される第１の照明パターンを前記複数の光源に提供し、前記表示画面に第２の画像フレームにより定義される第２の画像を表示する間、前記第２の画像フレームと関連づけられた第２の照明命令により定義される前記第２の照明パターンを前記複数の光源に提供するように構成されたプロセッサと
を備えることを特徴とする電子装置。
【請求項１４】
前記メモリは、前記複数の画像フレームと、関連する前記照明命令とを有するグラフィックデータファイルを提供するように構成されていることを特徴とする、請求項１３に記載の電子装置。
【請求項１５】
各画像フレームは、前記グラフィックデータファイルの異なる画像データブロックとして提供され、各照明命令は、前記グラフィックデータファイルの照明データブロックとして提供され、照明データブロック毎に異なる画像データブロックと関連づけられることを特徴とする、請求項１４に記載の電子装置。
【請求項１６】
前記グラフィックデータファイルは、複数の制御データブロックを有し、該制御データブロックのそれぞれは、前記画像データブロックの各ブロックと関連づけられ、前記画像データブロックのそれぞれにより定義される前記画像の表示期間を定義することを特徴とする、請求項１５に記載の電子装置。
【請求項１７】
前記グラフィックデータファイルは、ＧＩＦ規格に従って提供されることを特徴とする、請求項１４に記載の電子装置。
【請求項１８】
前記メモリは、第１の画像フレームと第１の照明命令とを有する第１のグラフィックデータファイルを提供し、第２の画像フレームと第２の照明命令とを有する第２のグラフィックデータファイルを提供するように構成されていることを特徴とする、請求項１３に記載の電子装置。
【請求項１９】
前記表示画面は液晶ディスプレイを含み、前記複数の光源は複数の発光ダイオードを含むことを特徴とする、請求項１３に記載の電子装置。
【請求項２０】
前記複数の光源は、キーパッド用のバックライト、キーパッドの外側の周辺光源、および、前記液晶ディスプレイ用のバックライトの少なくともいずれかを含むことを特徴とする、請求項１９に記載の電子装置。
【請求項２１】
前記プロセッサは、前記画像を順に表示して動画を提供するように構成されていることを特徴とする、請求項１３に記載の電子装置。
【請求項２２】
前記第１の照明パターンでは、前記第１の画像を表示する間、前記光源の少なくとも１個が点灯し、前記第２の照明パターンでは、前記第２の画像を表示する間、前記光源の前記少なくとも１個が消灯することを特徴とする、請求項１３に記載の電子装置。
【請求項２３】
前記第１の照明パターンでは、前記第１の画像を表示する間、第１のシーケンスに従って、前記光源の少なくとも２個が少なくとも点灯および消灯のいずれかを行い、
前記第２の照明パターンでは、前記第２の画像を表示する間、第２のシーケンスに従って、前記光源の少なくとも２個が少なくとも点灯および消灯のいずれかを行い、
前記第１のシーケンスと前記第２のシーケンスとが異なることを特徴とする、請求項１３に記載の電子装置。
【請求項２４】
前記プロセッサおよび前記メモリの少なくともいずれかと結合された受信器であって、無線インターフェースを介して前記複数の画像フレームと前記照明命令とを受信し、前記プロセッサおよび前記メモリの少なくともいずれかに前記複数の画像フレームと前記照明命令とを提供するように構成された受信器を、さらに備えることを特徴とする、請求項１３に記載の電子装置。
【請求項２５】
表示画面および複数の光源を有する電子装置を動作させる方法を、該電子装置に実行させるためのコンピュータプログラムであって、該方法は、
各画像フレームが前記表示画面に表示する画像を定義する、複数の画像フレームを提供する工程と、
照明命令毎に異なる画像フレームと関連づけられ、各照明命令が複数の光源の照明パターンをそれぞれ定義する、複数の光源に対する照明命令を提供する工程と、
前記表示画面に前記画像フレームによりそれぞれ定義される前記画像を表示する工程と、
前記表示画面に第１の画像フレームにより定義される第１の画像を表示する間、前記第１の画像フレームと関連づけられた第１の照明命令により定義される第１の照明パターンを前記複数の光源に提供する工程と、
前記表示画面に第２の画像フレームにより定義される第２の画像を表示する間、前記第２の画像フレームと関連づけられた第２の照明命令により定義される第２の照明パターンを前記複数の光源に提供する工程と
を備えることを特徴とするコンピュータプログラム。
【請求項２６】
前記複数の画像フレームを提供する工程と前記照明命令を提供する工程とが、前記複数の画像フレームと、関連する前記照明命令とを含むグラフィックデータファイルを提供する工程を有することを特徴とする、請求項２５に記載のコンピュータプログラム。
【請求項２７】
各画像フレームは、前記グラフィックデータファイルの個別の画像データブロックとして提供され、各照明命令は、前記グラフィックデータファイルの照明データブロックとして提供され、照明データブロック毎に異なる画像データブロックと関連づけられることを特徴とする、請求項２６に記載のコンピュータプログラム。
【請求項２８】
前記グラフィックデータファイルを提供する工程は、複数の制御データブロックを提供する工程であって、各制御データブロックは、前記画像データブロックの各ブロックと関連づけられ、前記画像データブロックのそれぞれにより定義される前記画像の表示期間を定義する、工程をさらに含むことを特徴とする、請求項２７に記載のコンピュータプログラム。
【請求項２９】
前記グラフィックデータファイルを提供する工程は、ＧＩＦ規格に従った前記グラフィックデータファイルを提供する工程を含むことを特徴とする、請求項２６に記載のコンピュータプログラム。
【請求項３０】
前記画像は、動画を提供するために順に表示されることを特徴とする、請求項２５に記載のコンピュータプログラム。